(57)【要約】      【課題】この発明は、洗浄ホースを縦管内から横管内に可及的に進入させないようにした洗浄ホースの横管侵入防止装置を提供する。      【解決手段】、この発明の洗浄ホースの横管侵入防止装置２０は、互いに嵌挿し、連結して直線状となる折れ曲がり防止ブロック１１を、洗浄ホース８に複数個嵌挿させたものである。  【選択図】  図８
2009034639.tif 000002
【特許請求の範囲】
【請求項１】
洗浄ホースをその軸を中心に回転させつつ前記洗浄ホースの先端に配設されたノズルから高圧の洗浄液を噴射させ、これにより排水管の内周壁に沿って前記ノズルを旋回させて排水管を洗浄するようにした排水管の洗浄装置において、
互いに嵌挿し連結して直線状となる折れ曲がり防止ブロックを、前記洗浄ホースに複数個嵌挿させたことを特徴とする洗浄ホースの横管侵入防止装置。
【請求項２】
前記折れ曲がり防止ブロックは、前記排水管内に嵌挿自在な径を有する円柱体と、該円柱体の中心に形成され前記洗浄ホースを嵌挿する嵌挿孔と、該嵌挿孔を中心に前記円柱体の上面に形成された円柱形の凹部と、前記円柱体の下面に前記嵌挿孔を中心に突出形成された円柱形の凸部とからなり、前記円柱形の凸部の径は前記円柱形の凹部の径よりも若干小さく形成されていることを特徴とする請求項１に記載の洗浄ホースの横管侵入防止装置。
【発明の詳細な説明】
【技術分野】
【０００１】
この発明は、マンション、ビル等に配設された排水管等の配管設備を洗浄する排水管洗浄装置に関し、特にこの排水管洗浄装置に使用される洗浄ホースが横管内へ侵入することを防止する横管侵入防止装置に関する。
【背景技術】
【０００２】
近年は、都市部を中心に１０階以上の高層マンション等のビル群が数多く建設されている。
【０００３】
そして、これら高層ビル群の建設に伴い、その内部に配設された縦本管及び横本管等の各種の排水管の洗浄処理が特に重要視されている。
【０００４】
図１０は、従来の排水管の洗浄方法を示す高層ビルの排水管の配管構造を示す概念図である。
【０００５】
この高層ビルの排水管は、垂直に配設された縦本管１とその下端に接続された横本管２とから構成され、これら縦本管１、横本管２の径は１０センチ以上の大径の排水管により構成されている。
【０００６】
このうち、縦本管１及び横本管２の洗浄は、本願出願人が先に提出した、従来の洗浄装置４（特開２００１−１８０８７３号、特開２００１−１７０５９１号）により行われている。なお、この旋回洗浄装置４は、高圧の洗浄液を案内する洗浄ホースの収納機能と当該洗浄ホース回転させる回転機能とを有している。
【０００７】
そしてこの従来の洗浄装置４を使用して縦本管１を洗浄する場合は、当該縦本管１の上端１ａに孔１ｂを穿設し、オペレータがその中に高圧の洗浄水６を噴射する噴射ノズル７及び当該噴射ノズル７に高圧の洗浄水を供給する洗浄ホース８を前記洗浄装置４から引き出して挿入し、これにより、噴射ノズル７を一旦縦本管１の下端１ｃまで下降させる。
【０００８】
その後、旋回洗浄装置４により噴射ノズル７から高圧の洗浄水６を噴射させ、かつ旋回洗浄装置４によりホース８を回転させてノズル７を縦本管１の内周壁に沿って旋回させる。
【０００９】
このように、旋回洗浄装置４により噴射ノズル７から高圧の洗浄水６を噴射させ、かつホース８を回転させてノズル７を縦本管１の内周壁に沿って旋回させた後、オペレータが洗浄ホース８を上方に引き上げる操作を行って洗浄装置４内に引き戻し、その間に洗浄ノズル７を前述したように縦本管１の内周壁に沿って旋回させ、噴射ノズル７の先端から噴射された高圧の洗浄水６により縦管１内を洗浄するようにしている。
【００１０】
なお、縦本管１内に流入した汚物は、重力の作用により下方へ落下するので、当該汚物は縦本管１内には堆積し難い傾向にあるが、縦本管１の下端１ｃに接続された横本管２は縦本管１から落下した汚物を略水平方向へ案内させることから、汚物が横本管２の管壁内周面に堆積し強固に付着し易い傾向にある。  
そのため、横本管２を洗浄するためには、横本管２の下流端２ａから、改めて上述した洗浄装置４の噴射ノズル７を挿入して洗浄するが、上述したように、横本管２内には汚物が管壁の内周面に堆積し強固に付着しているから、噴射ノズル７の先端から噴射された高圧の洗浄水６による一回の洗浄作業のみでは横本管２内に堆積した汚物を洗浄し難く、そのため横本管２を洗浄するためには、高圧の洗浄水６による洗浄作業を複数回繰り返すようにしていた。
【特許文献１】特開２００１−１８０８７３号
【特許文献２】特開２００１−１７０５９１号
【発明の開示】
【発明が解決しようとする課題】
【００１１】
ところで、図１０で示すように、上述した排水管の洗浄装置４を使用し、上述した高層ビルの排水管を洗浄する場合、噴射ノズル７の洗浄ホース８を縦本管１の下端１ｃから横本管２内に誤って深く侵入させると、洗浄ホース８を引き上げることが困難となる場合がある。
【００１２】
その理由は、洗浄ホース８は、比較的剛体で湾曲しにくい例えばステンレスホースからなる高圧ホースで形成されており、一旦洗浄ホース８を縦本管１の下端１ｃから横本管２内に深く侵入させると、その排水管の折り曲げ部と洗浄ホース８との間の摺動抵抗が大きくなり、このためオペレータが洗浄ホース８を引き上げることが困難となるからである。
【００１３】
この発明は、上述した事情に鑑み、洗浄ホースを縦管内から横管内に可及的に進入させないようにした洗浄ホースの横管侵入防止装置を提供することを目的とする。
【課題を解決するための手段】
【００１４】
上述した課題を解決するため、本願発明では、洗浄ホースをその軸を中心に回転させつつ前記洗浄ホースの先端に配設されたノズルから高圧の洗浄液を噴射させ、これにより排水管の内周壁に沿って前記ノズルを旋回させて排水管を洗浄するようにした排水管の洗浄装置において、洗浄ホースの横管侵入防止装置は互いに嵌挿し連結して直線状となる折れ曲がり防止ブロックを、前記洗浄ホースに複数個嵌挿させたことを特徴としている。
【発明の効果】
【００１５】
上述した本願発明に係る洗浄ホースの横管侵入防止装置によると、洗浄ホースには互いに嵌挿し連結して直線状となる折れ曲がり防止ブロックが複数個嵌挿されているので洗浄ホースが折れ曲がろうとしても、その折れ曲がりが可及的に防止され、このため洗浄ホースが縦管と横管との接続部分である排水管の折れ曲がり部に至っても、洗浄ホースが横管内へ侵することはなく、このためオペレータは縦管内から洗浄ホースを簡単に引き出して排水管の洗浄作業を一層効率良く行うことが出来る。
【発明を実施するための最良の形態】
【００１６】
以下、この発明に係る洗浄ホースの横管侵入防止装置の一実施例を詳述する。
【００１７】
図１はこの発明に係る洗浄ホースの横管侵入防止装置の主要構成部分である、折れ曲がり防止ブロック１１の正面図である。
【００１８】
この折れ曲がり防止ブロック（以下単にブロックと言う）１１は、図１０に示す縦管１内に嵌挿自在な径を有する円柱体１２からなり、その中心には、図１０に示す洗浄ホース８の径よりも若干大きい径を有する嵌挿孔１３が形成されている。
【００１９】
さらに、この円柱体１２の上面には、図２で示すように前記嵌挿孔１３を中心とした円柱形の凹部１４が形成され、またその下面には、図３で示すように前記嵌挿孔１３を中心とした円柱形の凸部１５が突出形成されている。
【００２０】
なお、上述した円柱形の凸部１５の径は、前記円柱形の凹部１４よりも若干小径に形成され、該凹部１４内に前記凸部１５が嵌挿することが出来るようになっている。
【００２１】
次に上述したブロック１１からなる洗浄ホースの横管侵入防止装置の作用を説明する。
【００２２】
まず、図４で示す如く、洗浄ホース８に上述したブロック１１を予め複数個嵌挿しておく。なお、この嵌挿するブロック１１の数は、後述する排水管の折れ曲がり形状、あるいは管径の大小に応じて調整する、例えば管径が大きい場合はその数を多くし、また管径が小さい場合は、その数を少なくする。
【００２３】
次に、縦管１の上端１ａに形成した孔１ｂ内に洗浄ホース８の先端に固着されたノズル７を嵌挿させ、その後、図５、図６、図７で示すように洗浄ホース８に嵌挿させたブロック１１を、孔１ｂを介して一個づつ洗浄ホース８のノズル７側に落下させる。
【００２４】
すると、図８で示すように、縦管１内に嵌挿させた複数個のブロック１１は、それぞれの凸部１５を他のブロック１１の凹部１４内に嵌挿して連結し、直線状となり、これにより洗浄ホースの横管侵入防止装置２０が完成する。
【００２５】
この状態を維持したまま、図８で示すように、洗浄ホース８を縦管１の下方へ進行させると、ついには、その先端のノズル７が縦管１と横管２との接続部である排水管の折れ曲がり部３０に至る。
【００２６】
この状態からさらに洗浄ホース８を押し込むと、図９で示すように、当該洗浄ホース８の可撓性により曲がってノズル７を横管２内に進行させようとするが、洗浄ホース８の先端には積載連結されたブロック１１が直線状となって、洗浄ホース８の折れ曲がりを可及的に防止するので、洗浄ホース８が縦管１と横管２との接続部分である排水管の折れ曲がり部３０に押し込められても、洗浄ホース８が横管２の奥深くへ侵することはなく、このためオペレータは縦管１内から洗浄ホースを簡単に引き出上げ操作することができ、このため排水管１の洗浄作業を一層効率良く行うことが出来ることとなる。
【００２７】
なお、上述した縦管１の上端１ａに形成された孔１ｂから洗浄ホース８を取り出す場合は、図７乃至図３に示した、ブロック１１の挿入とは逆の手順により、まずブロック１１を孔１ｃ内から一個づつ取り出し、その後、ノズル７を含む洗浄ホース８全体を縦管１の孔１ｃ内から取り出せばよい。
【産業上の利用可能性】
【００２８】
以上説明したように、この発明は、洗浄ホースを縦管内から横管内に可及的に進入させないようにした洗浄ホースの横管侵入防止装置に適している。
【図面の簡単な説明】
【００２９】
【図１】図１はこの発明に係る洗浄ホースの横管侵入防止装置の主要構成要である、折れ曲がり防止ブロックの正面図。
【図２】図２はこの発明に係る洗浄ホースの横管侵入防止装置の主要構成要である、折れ曲がり防止ブロックの斜視図。
【図３】図３はこの発明に係る洗浄ホースの横管侵入防止装置の主要構成要である、折れ曲がり防止ブロックの斜視図。
【図４】図４は、この発明に係る折れ曲がり防止ブロックの作用を示す縦管の概念断面図。
【図５】図５は、この発明に係る折れ曲がり防止ブロックの作用を示す縦管の概念断面図。
【図６】図６は、この発明に係る折れ曲がり防止ブロックの作用を示す縦管の概念断面図。
【図７】図７は、この発明に係る折れ曲がり防止ブロックの作用を示す縦管の概念断面図。
【図８】図８は、この発明に係る洗浄ホースの横管侵入防止装置の作用を示す縦管の概念断面図。
【図９】図９は、この発明に係る洗浄ホースの横管侵入防止装置の作用を示す縦管の概念断面図。
【図１０】図１０は、高層ビルの配管状態とその洗浄方法を示す図。
【符号の説明】
【００３０】
１，２…排水管
７…ノズル
８…洗浄ホース
１１…折れ曲がり防止ブロック
１２…円柱体
１３…嵌挿孔
１４…円柱形の凹部
１５…円柱形の凸部
２０…洗浄ホースの横管侵入防止装置
【図１】
2009034639.tif 000003
【図２】
2009034639.tif 000004
【図３】
2009034639.tif 000005
【図４】
2009034639.tif 000006
【図５】
2009034639.tif 000007
【図６】
2009034639.tif 000008
【図７】
2009034639.tif 000009
【図８】
2009034639.tif 000010
【図９】
2009034639.tif 000011
【図１０】
2009034639.tif 000012